(57)【要約】      （修正有）【課題】高精度な時刻同期を行う時刻同期装置及び方法を提供する。【解決手段】スレーブ装置の第１の時刻同期部は、遅延揺らぎが無く、かつ、上りリンクの遅延時間と下りリンクの遅延時間とのリンク非対称の遅延時間差が無い第１の時刻パスを利用し、第１のマスター装置との間で時刻情報を含む時刻同期パケット（ＰＴＰ）を送受信して第１のオフセットを求め、スレーブ装置の第２の時刻同期部は、遅延揺らぎとリンク非対称の遅延時間差とが有る第２の時刻パスを利用し、第２のマスター装置との間で時刻情報を含む時刻同期パケットを送受信して時刻同期パケットの遅延揺らぎ量を測定し、補正した時刻に基づいて第２のマスター装置との間の時刻の第２のオフセットを求め、第２のオフセットから第１のオフセットを減算してリンク非対称の遅延時間差を除去した時刻誤差に基づいて第２の時刻同期部の時刻を第２のマスター装置の時刻に同期させる。【選択図】図５
2016152488.tif 000002
【特許請求の範囲】
【請求項１】
基準時刻を有する複数のマスター装置と複数の時刻同期部を有するスレーブ装置との間で時刻情報を含む時刻同期パケットを送受信して前記スレーブ装置の時刻を前記マスター装置の時刻に同期させる時刻同期方法において、
前記スレーブ装置の第１の時刻同期部は、遅延揺らぎが無く、かつ、上りリンクの遅延時間と下りリンクの遅延時間とのリンク非対称の遅延時間差が無い第１の時刻パスを利用し、第１の前記マスター装置との間で時刻情報を含む前記時刻同期パケットを送受信して第１のオフセットを求め、
前記スレーブ装置の第２の時刻同期部は、前記遅延揺らぎと前記リンク非対称の遅延時間差とが有る第２の時刻パスを利用し、第２の前記マスター装置との間で時刻情報を含む前記時刻同期パケットを送受信して前記時刻同期パケットの遅延揺らぎ量を測定し、前記遅延揺らぎ量を補正した時刻に基づいて前記第２のマスター装置との間の時刻の第２のオフセットを求め、前記第２のオフセットから前記第１のオフセットを減算して前記リンク非対称の遅延時間差を除去した時刻誤差に基づいて前記第２の時刻同期部の時刻を前記第２のマスター装置の時刻に同期させる
ことを特徴とする時刻同期方法。
【請求項２】
請求項１に記載の時刻同期方法において、
測定基準に対する前記時刻同期パケットの受信時刻のずれとして前記遅延揺らぎ量を測定する場合、前記リンク非対称の遅延時間差を前記測定基準に含めて前記遅延揺らぎ量を測定する
ことを特徴とする時刻同期方法。
【請求項３】
請求項１または請求項２に記載の時刻同期方法において、
前記スレーブ装置は、前記マスター装置との間の時刻同期の精度を測定し、前記時刻同期の精度が予め設定した閾値以上であるか否かを監視し、閾値以上である場合に保守端末への通知または時刻同期の精度が変化する特徴を判別して故障箇所を推定する
ことを特徴とする時刻同期方法。
【請求項４】
基準時刻を有する複数のマスター装置と時刻情報を含む時刻同期パケットを送受信して前記マスター装置の時刻に同期させる時刻同期装置において、
遅延揺らぎが無く、かつ、上りリンクの遅延時間と下りリンクの遅延時間とのリンク非対称の遅延時間差が無い第１の時刻パスを利用し、第１の前記マスター装置との間で時刻情報を含む前記時刻同期パケットを送受信して第１のオフセットを求める第１の時刻同期部と、
前記遅延揺らぎと前記リンク非対称の遅延時間差とが有る第２の時刻パスを利用し、第２の前記マスター装置との間で時刻情報を含む前記時刻同期パケットを送受信すると共に、前記第２時刻パスの遅延揺らぎ量を測定して補正した時刻に基づいて第２のオフセットを求める第２の時刻同期部と、
前記第２のオフセットから前記第１のオフセットを減算して前記リンク非対称の遅延時間差を除去した時刻誤差に基づいて前記第２の時刻同期部の時刻を前記第２のマスター装置の時刻に同期させるリンク非対称補正部と
を有することを特徴とする時刻同期装置。
【請求項５】
請求項４に記載の時刻同期装置において、
前記第２の時刻同期部は、測定基準に対する前記時刻同期パケットの受信時刻のずれとして前記遅延揺らぎ量を測定する場合、前記リンク非対称の遅延時間差を前記測定基準に含めて前記遅延揺らぎ量を測定する
ことを特徴とする時刻同期装置。
【請求項６】
請求項４または請求項５に記載の時刻同期装置において、
前記マスター装置との間の時刻同期の精度を測定し、前記時刻同期の精度が予め設定した閾値以上であるか否かを監視し、閾値以上である場合に保守端末への通知または時刻同期の精度が変化する特徴を判別して故障箇所を推定する監視部をさらに有する
ことを特徴とする時刻同期装置。
【発明の詳細な説明】
【技術分野】
【０００１】
本発明は、パケット網を介して接続される装置間の時刻同期を実現する技術に関する。
【背景技術】
【０００２】
パケット網を経由して接続される装置間で時刻同期パケット(ＰＴＰ(Precision Time Protocol)パケット)を送受信して時刻同期を行う技術が規格化されている(非特許文献１参照）。ところが、パケット網で発生する遅延揺らぎによって時刻誤差が生じるため、例えばμsオーダの高精度な時刻精度を得ることが困難であった。そこで、高精度な時刻同期を実現するために、遅延分布測定用の試験パケット（リファレンスパケット(以降、Refパケットと称する)）を送受信して、ＰＴＰパケット（Syncパケット、DelayReqパケットなど）の遅延揺らぎを補正する技術が検討されている(特許文献１参照）。例えば、スレーブ(Slave)装置は、マスター(Master)装置から受信した１つ目のRefパケットを基準タイミングとして、以降のRefパケットの受信タイミングと基準タイミングとの差分を受信周期毎に測定して遅延分布を計測する。ここで、Master装置およびSlave装置は、周波数同期された同じクロックで動作するため、Slave装置で送信周期を正確にカウントでき、遅延分布を精度良く計測することができる。そして、Slave装置は、Refパケットの遅延分布の最小値をベースにＰＴＰパケットの遅延揺らぎを補正する。
【０００３】
一方、波長多重システム等において、Master装置からSlave装置への下り方向のＰＴＰパケットの遅延時間と、Slave装置からMaster装置への上り方向のＰＴＰパケットの遅延時間とが異なる非対称性（リンク非対称）の問題があり、リンク非対称の遅延時間差を補正する技術が考えられている(非特許文献２参照）。
【先行技術文献】
【非特許文献】
【０００４】
【非特許文献１】IEEE1588-2008
【非特許文献２】電子情報通信学会総合大会(2013年)、B-8-69、遅延時間の非対称性を考慮した時刻同期方式に関する検討、須田 他
【特許文献】
【０００５】
【特許文献１】特許第５５１８８０５号公報
【発明の概要】
【発明が解決しようとする課題】
【０００６】
ところが、リンク非対称の遅延時間差がある場合は遅延揺らぎの補正処理を実施しても時刻誤差が生じるため、時刻同期サービスの利用者は時刻誤差の要求精度を満足できないという問題がある。
【０００７】
また、ＧＰＳ(Global Positioning System)の使用やMaster装置とSlave装置との間を芯線直結で接続する方法などによる高精度の時刻同期が可能な時刻パスに対し、これらの高精度の時刻パスの冗長系としてパケット網を介した時刻パスを構築する場合、高精度の時刻パスとパケット網の時刻パスとの冗長系間で時刻誤差が生じてしまう。そして、Slave装置が冗長系間の切り替えを実施した場合、切り替え時に時刻跳躍が発生するという問題がある。
【０００８】
本発明は、遅延揺らぎの補正とリンク非対称の補正とを実施することにより、高精度な時刻同期を行うことができる時刻同期方法および時刻同期装置を提供することを目的とする。
【課題を解決するための手段】
【０００９】
第１の発明は、基準時刻を有する複数のマスター装置と複数の時刻同期部を有するスレーブ装置との間で時刻情報を含む時刻同期パケットを送受信してスレーブ装置の時刻をマスター装置の時刻に同期させる時刻同期方法において、スレーブ装置の第１の時刻同期部は、遅延揺らぎが無く、かつ、上りリンクの遅延時間と下りリンクの遅延時間とのリンク非対称の遅延時間差が無い第１の時刻パスを利用し、第１のマスター装置との間で時刻情報を含む時刻同期パケットを送受信して第１のオフセットを求め、スレーブ装置の第２の時刻同期部は、遅延揺らぎとリンク非対称の遅延時間差とが有る第２の時刻パスを利用し、第２のマスター装置との間で時刻情報を含む時刻同期パケットを送受信して時刻同期パケットの遅延揺らぎ量を測定し、遅延揺らぎ量を補正した時刻に基づいて第２のマスター装置との間の時刻の第２のオフセットを求め、第２のオフセットから第１のオフセットを減算してリンク非対称の遅延時間差を除去した時刻誤差に基づいて第２の時刻同期部の時刻を第２のマスター装置の時刻に同期させることを特徴とする。
【００１０】
第２の発明は、測定基準に対する時刻同期パケットの受信時刻のずれとして遅延揺らぎ量を測定する場合、リンク非対称の遅延時間差を測定基準に含めて遅延揺らぎ量を測定することを特徴とする。
【００１１】
第３の発明は、スレーブ装置は、マスター装置との間の時刻同期の精度を測定し、時刻同期の精度が予め設定した閾値以上であるか否かを監視し、閾値以上である場合に保守端末への通知または時刻同期の精度が変化する特徴を判別して故障箇所を推定することを特徴とする。
【００１２】
第４の発明は、基準時刻を有する複数のマスター装置と時刻情報を含む時刻同期パケットを送受信してマスター装置の時刻に同期させる時刻同期装置において、遅延揺らぎが無く、かつ、上りリンクの遅延時間と下りリンクの遅延時間とのリンク非対称の遅延時間差が無い第１の時刻パスを利用し、第１のマスター装置との間で時刻情報を含む時刻同期パケットを送受信して第１のオフセットを求める第１の時刻同期部と、遅延揺らぎとリンク非対称の遅延時間差とが有る第２の時刻パスを利用し、第２のマスター装置との間で時刻情報を含む時刻同期パケットを送受信すると共に、第２時刻パスの遅延揺らぎ量を測定して補正した時刻に基づいて第２のオフセットを求める第２の時刻同期部と、第２のオフセットから第１のオフセットを減算してリンク非対称の遅延時間差を除去した時刻誤差に基づいて第２の時刻同期部の時刻を第２のマスター装置の時刻に同期させるリンク非対称補正部とを有することを特徴とする。
【００１３】
第５の発明は、第２の時刻同期部は、測定基準に対する時刻同期パケットの受信時刻のずれとして遅延揺らぎ量を測定する場合、リンク非対称の遅延時間差を測定基準に含めて遅延揺らぎ量を測定することを特徴とする。
【００１４】
第６の発明は、マスター装置との間の時刻同期の精度を測定し、時刻同期の精度が予め設定した閾値以上であるか否かを監視し、閾値以上である場合に保守端末への通知または時刻同期の精度が変化する特徴を判別して故障箇所を推定する監視部をさらに有することを特徴とする。
【発明の効果】
【００１５】
本発明に係る時刻同期方法および時刻同期装置は、遅延揺らぎの補正とリンク非対称の補正とを実施することにより、高精度な時刻同期を行うことができる。
【図面の簡単な説明】
【００１６】
【図１】ネットワーク構成の一例を示す図である。
【図２】パケットシーケンスの一例を示す図である。
【図３】パケットの送受信間隔の一例を示す図である。
【図４】Master装置の機能ブロックの一例を示す図である。
【図５】第１の実施形態のSlave装置の機能ブロックの一例を示す図である。
【図６】第２の実施形態のSlave装置の機能ブロックの一例を示す図である。
【図７】第３の実施形態のSlave装置の機能ブロックの一例を示す図である。
【図８】故障した場合のTIEの波形の一例を示す図である。
【図９】故障回復の処理例を示すフローチャートである。
【発明を実施するための形態】
【００１７】
以下、図面を参照して本発明に係る時刻同期方法および時刻同期装置の実施形態について説明する。先ず、各実施形態に共通の構成および動作について説明する。
【００１８】
図１は、ネットワーク構成の一例を示す。図１において、Master装置１０１（０）およびMaster装置１０１（１）の２台のマスター装置１０１と、１台のSlave装置１０２とが接続される。Slave装置１０２は、Slave部１１２（０）およびSlave部１１２（１）の２つのブロックを有し、それぞれSlave装置の機能を持っている。そして、Master装置１０１（０）とSlave部１１２（０）とが伝送路１０４を介して接続され、Master装置１０１（１）とSlave部１１２（１）とがパケット網１０３を介して接続される。
【００１９】
以降で説明する各実施形態では、パケット網１０３を介してＰＴＰパケットを送受信して時刻同期を図る場合のＰＴＰパケットの遅延揺らぎ量を測定して補正処理を行うと共に、リンク非対称な遅延時間差の補正処理を行って装置間の時刻同期を図ることができる。なお、各実施形態で説明する時刻同期方法は、図１に示した点線で囲んだ部分(Master装置１０１（１）およびSlave装置１０２のSlave部１１２（１）)に適用可能である。ここで、パケット網１０３は、ネットワーク装置（スイッチ等）におけるパケットの遅延揺らぎやリンク非対称な遅延が発生する。なお、パケット網１０３を利用しない伝送路１０４で接続されるMaster装置１０１（０）とSlave部１１２（０）との間は、遅延揺らぎが無く、且つリンク非対称による遅延時間差も無い経路なので、パケット網１０３を介してＰＴＰパケットを送受信する場合に比べて高精度に時刻同期を図ることができる。
【００２０】
このように、Slave装置１０２は、２系統のマスター装置に接続する冗長化された時刻パスを有する。そして、以降の実施形態では、遅延揺らぎが無く、且つ、リンク非対称による遅延時間差も無い時刻パスで求めた時刻オフセットを利用することを前提とする。
【００２１】
図１において、Master装置１０１（０）、Master装置１０１（１）、Slave装置１０２のSlave部１１２（０）およびSlave部１１２（１）は、IEEE1588-2008の規格に記載されたＰＴＰパケットによる時刻同期の機能を有する。Slave装置１０２（０）のSlave部１１２（０）は、Master装置１０１（０）から取得した時刻、もしくは外部装置に時刻同期せず自走状態で生成された時刻に基づき動作する。また、Master装置１０１（０）は、GNSS(Global Navigation Satellite System)に同期する時刻に基づき動作する。或いはMaster装置１０１（０）は、Master装置１０１（１）と同様にパケットベースの時刻同期機能を具備してもよい。なお、以降の実施形態では、Master装置１０１（０）およびMaster装置１０１（１）の時刻情報の取得形態はいずれの方法であっても構わない。
【００２２】
図２は、Master装置１０１（１）とSlave装置１０２のSlave部１１２（１）との間で送受信されるパケットシーケンスの一例を示す。
【００２３】
ここで、以降で説明するパラメータを以下の通り定義する。なお、Master装置１０１とSlave装置１０２との間の中継伝送路に中継装置を有するものとする。
tm：Master装置側の時刻
ts：Slave装置側の時刻
Tms,Tsm：中継伝送路における伝送路遅延（固定値）
Pms,Psm：中継装置の処理遅延（固定値）
ΔJms,ΔJsm：中継装置でのパケット衝突による遅延揺らぎ量（可変値）
Dms,Dsm：遅延量
A：上り方向の遅延時間と下り方向の遅延時間との差（リンク非対称の遅延時間差）
なお、パラメータの末尾のｍはMaster装置１０１、ｓはSlave装置１０２を意味し、Tms、Pms、ΔJmsおよびDmsの各パラメータは、Master装置１０１からSlave装置１０２への下り方向のパラメータであることを示す。逆に、Tsm、Psm、ΔJsmおよびDsmの各パラメータは、Slave装置１０２からMaster装置１０１への上り方向のパラメータであることを示す。同様に、tmはMaster装置１０１側の時刻、tsはSlave装置１０２側の時刻をそれぞれ示す。以降で説明する各パラメータについても同様のルールで符号を付加する。
【００２４】
図２において、Master装置１０１（１）とSlave部１１２（１）との時刻が同期している場合、Master装置１０１（１）の時刻tm1は、Slave部１１２（１）の時刻ts1に対応する。そして、例えば、Master装置１０１（１）が時刻tm1に送信したパケット（Syncパケット１５１やRefパケット１６１）は、時刻ts1にSlave部１１２（１）により受信される。ここで、Master装置１０１からSlave装置１０２への経路には、伝送路遅延Tmsと中継装置の処理遅延Pmsと遅延揺らぎ量ΔJmsとが存在し、これらの合計時間は、ts2とts1との時間差に相当する。
【００２５】
同様に、Master装置１０１（１）とSlave部１１２（１）との時刻が同期している場合、Slave部１１２（１）の時刻ts3は、Master装置１０１（１）の時刻tm3に対応する。そして、例えば、Slave部１１２（１）が時刻ts3に送信したパケット（DelayReqパケット１５２やRefパケット１６１）は、時刻tm4にMaster装置１０１（１）により受信される。ここで、Slave部１１２（１）からMaster装置１０１（１）への経路には、伝送路遅延Tsmと中継装置の処理遅延Psmと遅延揺らぎ量ΔJsmとが存在し、これらの合計時間は、tm4とtm3との時間差に相当する。
【００２６】
このように、Master装置１０１（１）とSlave部１１２（１）との間で送受信されるSyncパケット１５１、DelayReqパケット１５２、DelayRespパケット１５３などのＰＴＰパケットやRefパケット１６１などの各パケットは、遅延揺らぎによる影響を受ける。
【００２７】
ここで、遅延揺らぎ量ΔJmsは、例えば、Master装置１０１（１）からSlave装置１０２のSlave部１１２（１）方向に送信されるRefパケット１６１の遅延分布を測定することにより求めることができる。なお、遅延揺らぎ量の測定方法は、特許文献１などに記載されている従来の方法で測定する。例えば図２において、Master装置１０１は、Syncパケット１５１とRefパケット１６１とを併せて一定の送信間隔でSyncパケット１５１とRefパケット１６１とを送信する。このとき、送信間隔の値を判別可能な識別値をRefパケット１６１に付与して送信することにより、受信側のSlave装置１０２は送信間隔を把握することができる。同様に、図２において、Slave装置１０２のSlave部１１２（１）は、DelayReqパケット１５２とRefパケット１６１とを併せて一定の送信間隔で送信し、受信側のMaster装置１０１でDelayReqパケット１５２を含むRefパケット１６１の遅延分布を測定する。なお、図２に示した各パラメータについては後で詳しく説明する。
【００２８】
図３は、横軸を時間軸としてMaster装置１０１（１）とSlave装置１０２のSlave部１１２（１）との間で送受信される各パケットの送受信間隔の一例を示す。図３（ａ）は、送信方向がMaster装置１０１（１）からSlave装置１０２への各パケットの送受信間隔の一例を示し、図３（ｂ）は、送信方向がSlave装置１０２からMaster装置１０１への各パケットの送受信間隔の一例を示す。図３（ａ）において、Master装置１０１（１）は、Refパケット１６１およびSyncパケット１５１を一定の間隔Trで送信するが、Slave部１１２（１）が受信する間隔は、遅延揺らぎが生じるため一定にはならない。そこで、図３（ａ）に示すように、Syncパケット１５１およびRefパケット１６１の受信タイミングtr1と基準タイミングtrs1との差分ΔJmsを受信周期毎に測定して遅延分布(確率密度分布)を計測する。そして、Slave部１１２（１）は、Syncパケット１５１を含むRefパケットの遅延分布の最小値をベースにＰＴＰパケットの遅延揺らぎを補正する。
【００２９】
同様に、図３（ｂ）において、Slave装置１０２のSlave部１１２（１）は、Refパケット１６１およびDelayReqパケット１５２を一定の間隔Trで送信するが、Master装置１０１（１）が受信する間隔は、遅延揺らぎが生じるため一定にはならない。そこで、図３（ａ）と同様に、DelayReqパケット１５２およびRefパケット１６１の受信タイミングtr1と基準タイミングtrs1との差分ΔJsmを受信周期毎に測定して遅延分布を計測する。そして、Master装置１０１（１）は、DelayReqパケット１５２を含むRefパケットの遅延分布の最小値をベースにＰＴＰパケットの遅延揺らぎを補正する。
【００３０】
ここで、上記の説明では、Syncパケット１５１を含むRefパケット１６１の送信間隔が一定になるようにしたが、Master装置１０１（１）はRefパケット１６１だけを一定間隔で送信して、Slave部１１２（１）がRefパケット１６１の遅延分布を計測するようにしてもよい。或いは、計測に時間は掛かるが、Refパケット１６１を用いずに、Master装置１０１（１）から一定間隔で送信されるSyncパケット１５１の遅延分布をSlave部１１２（１）が計測してもよい。同様に、上記の説明では、DelayReqパケット１５２を含むRefパケット１６１の送信間隔が一定になるようにしたが、Slave部１１２（１）はRefパケット１６１だけを一定間隔で送信して、Master装置１０１（１）がRefパケット１６１の遅延分布を計測するようにしてもよい。或いは、計測に時間は掛かるが、Refパケット１６１を用いずに、Slave部１１２（１）からDelayReqパケット１５２を一定間隔で送信してMaster装置１０１（１）が遅延分布を計測してもよい。
【００３１】
なお、送信間隔が一定で遅延揺らぎが無い場合、且つ、固定遅延だけの場合、受信周期が一定となるが、遅延揺らぎが有る場合は受信周期が一定にならないので、送信間隔と同じ受信間隔のタイミングと実際の受信タイミングとの差を遅延分布として測定することができる。そして、遅延分布の最小値を基に、ＰＴＰパケットの遅延揺らぎ測定基準を設定する。なお、ＰＴＰパケットの遅延揺らぎ測定基準は設定後に固定される。そして、ＰＴＰパケットの遅延揺らぎ測定基準を基にして、Master装置１０１およびSlave装置１０２でＰＴＰパケットの遅延揺らぎ量ΔJを算出することができる。
【００３２】
ここで、各パケットが対向装置に到達するまでの遅延時間Dは、（式１）の関係がある。
遅延時間D=伝送路遅延T＋装置処理遅延P＋遅延揺らぎΔJ    …  （式１）
（式１）において、遅延時間Dは、Master装置１０１からSlave装置１０２への方向、Slave装置１０２からMaster装置１０１への方向でそれぞれ値が異なる。
【００３３】
ここで、Master装置１０１とSlave装置１０２との間で送受信されるパケットの遅延量DmsおよびDsmは、（式２）および（式３）の関係がある。
Dms = Tms + Pms + ΔJms    …  （式２）
Dsm = Tsm + Psm + ΔJsm    …  （式３）
また、遅延揺らぎ量を補正した後の遅延量Dms’およびDsm’は、（式４）および（式５）で表され、上り方向の遅延時間と下り方向の遅延時間との遅延時間差Aは（式６）で表される。
Dms’= Tms + Pms    …  （式４）
Dsm’= Tsm + Psm    …  （式５）
A = Dms’- Dsm’
= (Tms + Pms) - (Tsm + Psm)    …  （式６）
次に、Slave装置１０２側におけるMaster装置１０１との時刻のずれ（オフセット：offset）の算出およびリンク非対称の遅延時間差の補正方法について説明する。なお、offsetは（式７）で表される。
offset = ts - tm    …  （式７）
ここで、図１の０系の時刻パスにおいて、Master装置１０１（０）の時計に対するSlave装置１０２のSlave部１１２（０）の時計の時刻のずれをoffset(0)とすると、（式８）および（式９）の関係を有し、offset(0)は（式１０）により導出される。
ts2(0) - tm1(0) = Tms(0) + offset(0)    …  （式８）
tm4(0) - ts3(0) = Tsm(0) - offset(0)    …  （式９）
offset(0) = [(ts2(0) - tm1(0)) - (tm4(0) - ts3(0)) - (Tms(0) - Tsm(0))] / 2  …  （式１０）
一方、図１の１系の時刻パスにおいて、Master装置１０１（１）の時計に対するSlave装置１０２のSlave部１１２（１）の時計の時刻のずれをoffset(1)とすると、（式１１）および（式１２）の関係を有し、offset(1)は（式１３）により導出される。
ts2(1) - tm1(1) = Dms’(1) + ΔJms(1) + offset(1)    …  （式１１）
tm4(1) - ts3(1) = Dsm’(1) + ΔJsm(1) - offset(1)    …  （式１２）
offset(1) = [(ts2(1) - ΔJms(1) - tm1(1)) - (tm4(1) - ΔJsm(1) - ts3(1)) - (A(1))] / 2    …  （式１３）
ここで、リンク非対称の遅延時間差Aは未知量であるため、Slave部１１２（１）の１系の時刻パスでは時刻誤差A(1)/2が生じる。このとき、リンク非対称の遅延時間差Aに起因する時刻誤差ΔTは、０系の時刻パスと１系の時刻パスとの差分として（式１４）により算出できる。
ΔT = ts(1) - ts(0)
= tm(1) - tm(0) + offset(1) - offset(0)    …  （式１４）
そして、（式１５）に示すように、時刻誤差ΔTを１系の時刻パスの時刻(ts(1))に加算することで、リンク非対称による遅延時間差を除去した時刻(ts(1)')を求めることができる。
ts(1)’ = ts(1) - ΔT    …  （式１５）
このように、遅延揺らぎ量やリンク非対称の遅延時間差が無い０系の時刻パスの時刻誤差と同程度に、遅延揺らぎ量やリンク非対称の遅延時間差が有る１系の時刻パスの時刻を同期させることができる。これにより、０系の時刻パスと１系の時刻パスとの時刻誤差を解消することができ、０系の時刻パスの冗長系として１系の時刻パスに切り替えた場合でも、切り替え時の時刻跳躍などの問題を防止することができる。また、一旦、Slave部１１２（１）の１系の時刻パスの時刻を１系のMaster装置１０１（１）に合せてしまえば、その後の固定的な時刻誤差は解消できる。そして、可変的な時刻誤差は随時補正が可能であるため、リンク非対称の遅延時間差を補正後に０系の時刻パスを廃止した場合でも、Slave装置１０２は、１系の時刻パス単独で高精度な時刻を維持することができる。
【００３４】
図４は、以降の実施形態で説明するSlave装置１０２に接続されるMaster装置１０１（１）の機能ブロックの一例を示す。図４において、Master装置１０１（１）は、Master時計１０５、ＰＴＰ処理部１０６、遅延揺らぎ補正部１０７および送受信部１０８を有する。
【００３５】
Master時計１０５は、送受信部１０８に接続されるSlave装置１０２が従属すべき時刻情報を保持する。
【００３６】
ＰＴＰ処理部１０６は、IEEE1588-2008の規格に準拠した各種パケットの生成、シーケンス処理およびオフセット演算処理などを行う。例えばＰＴＰ処理部１０６は、遅延揺らぎ補正部１０７および送受信部１０８を介してSlave装置１０２のSlave部１１２（１）との間でＰＴＰパケット（Syncパケット１５１、DelayReqパケット１５２およびDelayRespパケット１５３など）を送受信して、Slave部１１２（１）がMaster時計１０５の時刻に同期するための時刻情報などを提供する。
【００３７】
遅延揺らぎ補正部１０７は、図２で説明したRefパケット１６１の生成や終端を行い、予め決められた所定の時間間隔でSlave部１１２（１）から受信するRefパケット１６１の遅延分布を測定し、DelayReqパケット１５２の遅延揺らぎ量の算出などを行う。そして、遅延揺らぎ補正部１０７は、算出した遅延揺らぎ量からDelayReqパケット１５２の受信時刻tm4を補正する。また、遅延揺らぎ補正部１０７は、補正後の受信時刻tm4をＰＴＰ処理部１０６に通知する。
【００３８】
送受信部１０８は、ＰＴＰパケット、Refパケット１６１等のデータパケットの送受信や、クロック信号の送受信を行う。
【００３９】
このように、Master装置１０１（１）は、Slave装置１０２のSlave部１１２（１）との間でＰＴＰパケットを送受信して、Slave部１１２（１）がMaster時計１０５の時刻に同期できるように時刻情報を提供すると共に、DelayReqパケット１５２の遅延揺らぎ量を算出し、DelayReqパケット１５２の受信時刻を補正する。
【００４０】
ここで、図１に示したMaster装置１０１（０）は、遅延揺らぎが無い伝送路１０４を介してSlave装置１０２のSlave部１１２（０）とＰＴＰパケットを送受信して時刻同期を行うので、図４に示したMaster装置１０１（１）のブロックにおいて、遅延揺らぎ補正部１０７の処理を行わない構成となる。そのため、Master装置１０１（０）の機能ブロックの図示は省略する。
（第１の実施形態）
図５は、第１の実施形態に係るSlave装置１０２の機能ブロックの一例を示す。Slave装置１０２は、Slave部１１２（０）、Slave部１１２（１）、リンク非対称補正値算出部１１３およびSlave時計１１４とを有する。
【００４１】
また、Slave部１１２（０）は、送受信部１２１（０）、ＰＴＰ処理部１２２（０）およびSlave時計１２３（０）を有する。Slave部１１２（０）は、送受信部１２１（０）により、遅延揺らぎ量やリンク非対称の遅延時間差が無い０系の時刻パスでMaster装置１０１（０）に接続される。ＰＴＰ処理部１２２（０）は、IEEE1588-2008の規格に準拠した各種パケットの生成、シーケンス処理およびオフセット演算処理などを行う。例えばＰＴＰ処理部１２２（０）は、送受信部１２１（０）を介してMaster装置１０１（０）との間でＰＴＰパケットを送受信して、Slave時計１２３（０）の時刻をMaster装置１０１（０）が有するMaster時計の時刻に同期させる。Slave時計１２３（０）は、ＰＴＰ処理部１２２（０）から入力された時刻オフセットを基に時刻を補正し、Master装置１０１（０）の時刻に同期させる。
【００４２】
Slave部１１２（１）は、送受信部１２１（１）、ＰＴＰ処理部１２２（１）、Slave時計１２３（１）および遅延揺らぎ補正部１２４を有する。Slave部１１２（１）は、送受信部１２１（１）により、遅延揺らぎ量およびリンク非対称の遅延時間差が有る１系の時刻パスで図１、図４に示したMaster装置１０１（１）に接続される。そして、遅延揺らぎ補正部１２４は、Slave部１１２（１）とMaster装置１０１（１）との間でRefパケット１６１を送受信して遅延揺らぎ量を求める。ＰＴＰ処理部１２２（１）は、IEEE1588-2008の規格に準拠した各種パケットの生成、シーケンス処理およびオフセット演算処理などを行う。また、ＰＴＰ処理部１２２（１）は、遅延揺らぎ補正部１２４から通知された遅延揺らぎ量に基づいてＰＴＰパケットの時刻情報を補正した時刻オフセットを算出する。そして、ＰＴＰ処理部１２２（１）は、送受信部１２１（１）を介してMaster装置１０１（１）との間でＰＴＰパケットを送受信して、送受信する時刻情報からSlave時計１２３（１）とMaster装置１０１（１）との時刻のオフセットを求め、Slave時計１２３（１）の時刻をMaster時計１０５の時刻に同期させる。Slave時計１２３（１）は、ＰＴＰ処理部１２２（１）から入力された時刻オフセットを基に時刻を補正し、Master時計１０５の時刻に同期する。
【００４３】
リンク非対称補正値算出部１１３は、（式８）から（式１５）で説明したように、Slave部１１２（０）が求めた時刻のオフセット(offset(0))と、Slave部１１２（１）が求めた時刻のオフセット(offset(1))とを用いてリンク非対称の遅延時間差を補正したSlave時計１２３（０）とSlave時計１２３（１）との時刻誤差を算出し、Slave時計１１４の時刻を合わせる。
【００４４】
Slave時計１１４は、リンク非対称補正値算出部１１３が出力する時刻誤差に基づいて時刻が補正され、Master装置１０１（１）のMaster時計１０５の時刻に同期する。これにより、Slave装置１０２は、Master装置１０１（１）とSlave部１１２（１）との間のリンク非対称の遅延時間差を除去することができる。
【００４５】
このようにして、遅延揺らぎ量およびリンク非対称の遅延時間差が有る１系の時刻パスと遅延揺らぎ量およびリンク非対称の遅延時間差が無い０系の時刻パスとを有するSlave装置１０２は、遅延揺らぎ量およびリンク非対称の遅延時間差を補正することにより、０系の時刻パスの時刻に同期するSlave時計１２３（０）と同程度の時刻精度で、Master装置１０１（１）の時刻に同期するSlave時計１１４の時刻を合わせることができる。
（第２の実施形態）
図６は、第２の実施形態に係るSlave装置１０２ａの一例を示す。なお、図６において、図５と同符号のブロックは、同一又は同様の機能を有する。図６のSlave装置１０２ａが図５のSlave装置１０２と異なる部分は、図５に示したSlave時計１１４が無いことと、リンク非対称補正値算出部１１３および遅延揺らぎ補正部１２４の代わりに、リンク非対称補正値算出部１１３ａおよび遅延揺らぎ補正部１２４ａが設けられており、リンク非対称補正値算出部１１３ａが出力するリンク非対称の遅延時間差が遅延揺らぎ補正部１２４ａに入力されていることである。以下、図５に示したSlave装置１０２と異なる部分について説明する。
【００４６】
リンク非対称補正値算出部１１３ａは、上り下りの遅延時間差Aを把握して、遅延時間差Aを遅延揺らぎ補正部１２４ａに出力する。
【００４７】
遅延揺らぎ補正部１２４ａは、ＰＴＰパケットの遅延揺らぎの測定基準をリンク非対称の遅延時間差Aを含めて予め補正しておき、補正された測定基準に対してＰＴＰパケットの遅延揺らぎ量を測定する。つまり、ＰＴＰパケット(例えばSyncパケット１５１)の受信時刻がリンク非対称の遅延時間差Aを含む時刻誤差分だけ、予め補正されていることになる。
【００４８】
このようにして、第２の実施形態に係るSlave装置１０２ａは、遅延揺らぎ量の補正と同時にリンク非対称の遅延時間差の補正を行うことができる。これにより、第２の実施形態に係るSlave装置１０２ａでは、リンク非対称補正値算出部１１３ａが故障した場合に、図５に示すSlave装置１０２でSlave時計１１４の制御が実施出来なくなることを防止することができる。或いは、第２の実施形態に係るSlave装置１０２ａでは、図５に示すSlave装置１０２のSlave時計１１４が不要となる。
（第３の実施形態）
図７は、第３の実施形態に係るSlave装置１０２ｂの一例を示す。なお、図７において、図５と同符号のブロックは、同一又は同様の機能を有する。図７のSlave装置１０２ｂが図５のSlave装置１０２と異なる部分は、時刻精度監視部１１５を有することと、リンク非対称補正値算出部１１３、Slave時計１１４および遅延揺らぎ補正部１２４の代わりに、リンク非対称補正値算出部１１３ｂ、Slave時計１１４ｂおよび遅延揺らぎ補正部１２４ｂが設けられていることである。また、Slave装置１０２ｂにはネットワーク１３１を介して保守端末１３２が接続されている。以下、図５に示したSlave装置１０２と異なる部分について説明する。
【００４９】
図７において、遅延揺らぎ補正部１２４ｂは、遅延揺らぎ補正部１２４と同様に、遅延揺らぎ量の補正を行うが、後述する時刻精度監視部１１５の制御により、回復動作(遅延揺らぎ量を求め直すなど)を行う。リンク非対称補正値算出部１１３ｂは、リンク非対称補正値算出部１１３と同様に、リンク非対称の遅延時間差の補正を行うが、後述する時刻精度監視部１１５の制御により、回復動作(リンク非対称の遅延時間差を求め直すなど)を行う。時刻精度監視部１１５は、Slave時計１１４ｂの時刻をモニタして遅延揺らぎ量の補正とリンク非対称の遅延時間差の補正が各々正しく実施できているか否かを監視する。
【００５０】
時刻精度監視部１１５は、Slave時計１１４ｂが出力する時刻の変動値(例えばTIE(Time Interval Error))を測定する。そして、時刻精度監視部１１５は、TIEが予め設定された閾値を超えているか否かを監視する。TIEが閾値を超過した場合、時刻精度監視部１１５は、ネットワーク１３１を介して保守端末１３２に警報を通知し、Slave装置１０２の異常を保守者に知らせる。また、時刻精度監視部１１５は、測定したTIEを予め設定された期間保存し、保守者が保守端末１３２から読み出して確認することができる。
【００５１】
図８（ａ）は、遅延揺らぎ補正部１２４ｂが故障した場合のTIEの波形の一例を示す。図８（ａ）において、横軸は時間(time)、縦軸はTIE値を示す。そして、図８（ａ）の時刻Txにおいて、遅延揺らぎ補正部１２４ｂが故障して正常状態から異常状態になると、TIEは正常状態と比べて時々刻々激しく変動する傾向を示し、TIEは閾値を超える。
【００５２】
一方、図８（ｂ）は、リンク非対称補正値算出部１１３ｂが故障した場合のTIEの波形の一例を示す。図８（ｂ）において、横軸は時間(time)、縦軸はTIE値を示す。そして、図８（ｂ）の時刻Txにおいて、リンク非対称補正値算出部１１３ｂが故障して正常状態から異常状態になると、TIEはステップ的に変動し、TIEは閾値を超える。
【００５３】
保守者は、図８（ａ）および図８（ｂ）に示したようなTIEの測定結果の傾向から、遅延揺らぎ補正部１２４ｂの故障（周波数同期異常などにより基準タイミングが変動したケースなど）であるか、リンク非対称補正値算出部１１３ｂの故障（メモリ故障などによりリンク非対称補正値が消失したケースなど）であるか、を判別することができる。但し、いずれの場合も上流側のMaster装置１０１（０）およびMaster装置１０１（１）の故障が原因である可能性もあるため、保守者はSlave装置１０２だけでなく上流のMaster装置１０１の状態も確認する。
【００５４】
また、保守者ではなく、Slave装置１０２は、測定したTIEから故障の傾向をソフトウェア処理によって自動的に判別することが可能である。これにより、Slave装置１０２が自律して故障の回復を試みることができる。
【００５５】
図９は、Slave装置１０２が自律して故障回復を実施する場合のフローチャートの一例を示す。
【００５６】
ステップＳ１０１において、時刻精度監視部１１５は、Slave時計１１４ｂの時刻のTIEを測定する。
【００５７】
ステップＳ１０２において、時刻精度監視部１１５は、TIEが予め設定された閾値を超過したか否かを判別し、TIE値が閾値未満の場合はステップＳ１０１の処理に戻ってTIE測定を継続して行い、TIE値が閾値以上の場合はステップＳ１０３の処理に進む。
【００５８】
ステップＳ１０３において、時刻精度監視部１１５は、TIEの変動が図８（ｂ）に示したステップ状の変動であり、且つ、発生回数累計が１回であるという条件を満たすか否かを判別する。そして、時刻精度監視部１１５は、当該条件を満たしている場合はリンク非対称補正の処理に問題があると判断してステップＳ１０４の処理に進み、当該条件を満たさない場合はステップＳ１０５の処理に進む。
【００５９】
ステップＳ１０４において、時刻精度監視部１１５は、リンク非対称の補正処理（リンク非対称補正値算出部１１３ｂ）の回復動作を行い、ステップＳ１０１の処理に戻る。例えば回復動作として、時刻精度監視部１１５は、リンク非対称補正値算出部１１３ｂの処理をリセットし、再起動する。
【００６０】
ステップＳ１０５において、時刻精度監視部１１５は、TIEの変動が図８（ａ）に示した継続的に激しい変動があり、且つ、発生回数累計が１回であるという条件を満たすか否かを判別する。そして、時刻精度監視部１１５は、当該条件を満たしている場合は遅延揺らぎ補正の処理に問題があると判断してステップＳ１０６の処理に進み、当該条件を満たさない場合はステップＳ１０７の処理に進む。
【００６１】
ステップＳ１０６において、時刻精度監視部１１５は、遅延揺らぎの補正処理（遅延揺らぎ補正部１２４ｂ）の回復動作を行い、ステップＳ１０１の処理に戻る。例えば回復動作として、時刻精度監視部１１５は、遅延揺らぎ補正部１２４ｂの処理をリセットし、再起動する。
【００６２】
ステップＳ１０７において、時刻精度監視部１１５は、リンク非対称補正値算出部１１３ｂおよび遅延揺らぎ補正部１２４ｂ以外の故障であると判断し、保守端末１３２に故障の発生を通知する。
【００６３】
このようにして、時刻精度監視部１１５は、TIEが閾値を超過するまで時間経過と共に変動するTIEの変動量を積算していくことで、変動が継続的に発生しているか、一時的な変動かを判別する。これによって、Slave装置１０２は、遅延揺らぎ補正部１２４ｂの故障であるか、リンク非対称補正値算出部１１３ｂの故障であるかを判断できる。そして、リンク非対称補正値算出部１１３ｂの故障の可能性が有る場合、時刻精度監視部１１５は、メモリ故障によりリンク非対称の遅延時間差(補正値)が消失したケースなどの故障原因を推定する。この場合、時刻精度監視部１１５は、リンク非対称補正値算出部１１３ｂによるリンク非対称の遅延時間差の算出処理を再起動し、リンク非対称の補正対象の系(図１の例では１系)に改めて補正処理を行うことにより故障回復を試みる。一方、遅延揺らぎ補正部１２４ｂの故障の場合、時刻精度監視部１１５は、周波数同期の異常による基準タイミングの変動などの故障原因を推定する。この場合、時刻精度監視部１１５は、周波数同期の異常の回復を待って、基準タイミングを改めて設定し直し、故障回復を試みる。そして、時刻精度監視部１１５は、リンク非対称補正値算出部１１３ｂおよび遅延揺らぎ補正部１２４ｂ以外の故障であると判断した場合、保守端末１３２に故障の発生を通知する。
【００６４】
以上、説明したように、各実施形態に係る時刻同期方法および時刻同期装置は、ＰＴＰパケットにリンク非対称の遅延時間差がある場合でも、高精度な時刻同期が可能である。また、GPSや芯線直結による高精度な時刻同期が可能な時刻パスの冗長系としてパケット網を介した時刻パスを用いることができる。そして、パケット網を介した時刻パスで得られる時刻精度は、GPSや芯線直結による時刻同期の精度と同程度の品質を維持できるので、冗長系間で時刻誤差が解消し、冗長系間の切り替えを行った場合でも時刻跳躍などが生じることなく、時刻同期サービスの利用者に影響を与えることがなくなる。
【符号の説明】
【００６５】
１０１（０），１０１（１）・・・Master装置；１０２，１０２ａ，１０２ｂ・・・Slave装置；１０３・・・パケット網；１０４・・・伝送路；１０５・・・Master時計；１０６・・・ＰＴＰ処理部；１０７・・・遅延揺らぎ補正部；１０８・・・送受信部；１１２（０），１１２（１）・・・Slave部；１１３，１１３ａ・・・リンク非対称補正値算出部；１２１（０），１２１（１）・・・送受信部；１２２（０），１２２（１）・・・ＰＴＰ処理部；１２３（０），１２３（１），１１４，１１４ａ・・・Slave時計；１２４，１２４ａ・・・遅延揺らぎ補正部；１１５・・・時刻精度監視部；１３１・・・ネットワーク；１３２・・・保守端末
【図１】
2016152488.tif 000003
【図２】
2016152488.tif 000004
【図３】
2016152488.tif 000005
【図４】
2016152488.tif 000006
【図５】
2016152488.tif 000007
【図６】
2016152488.tif 000008
【図７】
2016152488.tif 000009
【図８】
2016152488.tif 000010
【図９】
2016152488.tif 000011
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
基準時刻を有する複数のマスター装置と複数の時刻同期部を有するスレーブ装置との間で時刻情報を含む時刻同期パケットを送受信して前記スレーブ装置の時刻を前記マスター装置の時刻に同期させる時刻同期方法において、
前記スレーブ装置の第１の時刻同期部は、遅延揺らぎが無く、かつ、上りリンクの遅延時間と下りリンクの遅延時間とのリンク非対称の遅延時間差が無い第１の時刻パスを利用し、第１の前記マスター装置との間で時刻情報を含む前記時刻同期パケットを送受信して第１のオフセットを求め、
前記スレーブ装置の第２の時刻同期部は、前記遅延揺らぎと前記リンク非対称の遅延時間差とが有る第２の時刻パスを利用し、第２の前記マスター装置との間で時刻情報を含む前記時刻同期パケットを送受信して上り方向および下り方向のそれぞれの前記時刻同期パケットの遅延揺らぎ量を測定し、上り方向および下り方向の前記遅延揺らぎ量を補正した時刻に基づいて前記第２のマスター装置との間の時刻の第２のオフセットを求め、前記第２のオフセットから前記第１のオフセットを減算して前記リンク非対称の遅延時間差を除去した時刻誤差に基づいて前記第２の時刻同期部の時刻を前記第２のマスター装置の時刻に同期させる
ことを特徴とする時刻同期方法。
【請求項２】
請求項１に記載の時刻同期方法において、
測定基準に対する前記時刻同期パケットの受信時刻のずれとして前記遅延揺らぎ量を測定する場合、前記リンク非対称の遅延時間差を前記測定基準に含めて前記遅延揺らぎ量を測定する
ことを特徴とする時刻同期方法。
【請求項３】
請求項１または請求項２に記載の時刻同期方法において、
前記スレーブ装置は、前記マスター装置との間の時刻同期の精度を測定し、前記時刻同期の精度が予め設定した閾値以上であるか否かを監視し、閾値以上である場合に保守端末への通知または時刻同期の精度が変化する特徴を判別して故障箇所を推定する
ことを特徴とする時刻同期方法。
【請求項４】
基準時刻を有する複数のマスター装置と時刻情報を含む時刻同期パケットを送受信して前記マスター装置の時刻に同期させる時刻同期装置において、
遅延揺らぎが無く、かつ、上りリンクの遅延時間と下りリンクの遅延時間とのリンク非対称の遅延時間差が無い第１の時刻パスを利用し、第１の前記マスター装置との間で時刻情報を含む前記時刻同期パケットを送受信して第１のオフセットを求める第１の時刻同期部と、
前記遅延揺らぎと前記リンク非対称の遅延時間差とが有る第２の時刻パスを利用し、第２の前記マスター装置との間で時刻情報を含む前記時刻同期パケットを送受信して前記第２の時刻パスの上り方向および下り方向のそれぞれの前記時刻同期パケットの遅延揺らぎ量を測定し、上り方向および下り方向の前記遅延揺らぎ量を補正した時刻に基づいて第２のオフセットを求める第２の時刻同期部と、
前記第２のオフセットから前記第１のオフセットを減算して前記リンク非対称の遅延時間差を除去した時刻誤差に基づいて前記第２の時刻同期部の時刻を前記第２のマスター装置の時刻に同期させるリンク非対称補正部と
を有することを特徴とする時刻同期装置。
【請求項５】
請求項４に記載の時刻同期装置において、
前記第２の時刻同期部は、測定基準に対する前記時刻同期パケットの受信時刻のずれとして前記遅延揺らぎ量を測定する場合、前記リンク非対称の遅延時間差を前記測定基準に含めて前記遅延揺らぎ量を測定する
ことを特徴とする時刻同期装置。
【請求項６】
請求項４または請求項５に記載の時刻同期装置において、
前記マスター装置との間の時刻同期の精度を測定し、前記時刻同期の精度が予め設定した閾値以上であるか否かを監視し、閾値以上である場合に保守端末への通知または時刻同期の精度が変化する特徴を判別して故障箇所を推定する監視部をさらに有する
ことを特徴とする時刻同期装置。
【手続補正２】
【補正対象書類名】明細書
【補正対象項目名】０００９
【補正方法】変更
【補正の内容】
【０００９】
第１の発明は、基準時刻を有する複数のマスター装置と複数の時刻同期部を有するスレーブ装置との間で時刻情報を含む時刻同期パケットを送受信してスレーブ装置の時刻をマスター装置の時刻に同期させる時刻同期方法において、スレーブ装置の第１の時刻同期部は、遅延揺らぎが無く、かつ、上りリンクの遅延時間と下りリンクの遅延時間とのリンク非対称の遅延時間差が無い第１の時刻パスを利用し、第１のマスター装置との間で時刻情報を含む時刻同期パケットを送受信して第１のオフセットを求め、スレーブ装置の第２の時刻同期部は、遅延揺らぎとリンク非対称の遅延時間差とが有る第２の時刻パスを利用し、第２のマスター装置との間で時刻情報を含む時刻同期パケットを送受信して上り方向および下り方向のそれぞれの時刻同期パケットの遅延揺らぎ量を測定し、上り方向および下り方向の遅延揺らぎ量を補正した時刻に基づいて第２のマスター装置との間の時刻の第２のオフセットを求め、第２のオフセットから第１のオフセットを減算してリンク非対称の遅延時間差を除去した時刻誤差に基づいて第２の時刻同期部の時刻を第２のマスター装置の時刻に同期させることを特徴とする。
【手続補正３】
【補正対象書類名】明細書
【補正対象項目名】００１２
【補正方法】変更
【補正の内容】
【００１２】
第４の発明は、基準時刻を有する複数のマスター装置と時刻情報を含む時刻同期パケットを送受信してマスター装置の時刻に同期させる時刻同期装置において、遅延揺らぎが無く、かつ、上りリンクの遅延時間と下りリンクの遅延時間とのリンク非対称の遅延時間差が無い第１の時刻パスを利用し、第１のマスター装置との間で時刻情報を含む時刻同期パケットを送受信して第１のオフセットを求める第１の時刻同期部と、遅延揺らぎとリンク非対称の遅延時間差とが有る第２の時刻パスを利用し、第２のマスター装置との間で時刻情報を含む時刻同期パケットを送受信して第２の時刻パスの上り方向および下り方向のそれぞれの時刻同期パケットの遅延揺らぎ量を測定し、上り方向および下り方向の遅延揺らぎ量を補正した時刻に基づいて第２のオフセットを求める第２の時刻同期部と、第２のオフセットから第１のオフセットを減算してリンク非対称の遅延時間差を除去した時刻誤差に基づいて第２の時刻同期部の時刻を第２のマスター装置の時刻に同期させるリンク非対称補正部とを有することを特徴とする。